(57)【特許請求の範囲】
【請求項１】
時計の筐体内に所定の範囲で移動可能に案内され、所定の解放位置、第１の押し込み停止位置、押し込み位置および第２の押し込み停止位置の順で移動し、押圧操作に応じて前記時計の有するスイッチの操作状態を操作するスイッチ体と、
前記押圧操作に抗する向きに前記スイッチ体を付勢する弾性手段と、
前記スイッチ体の有する可撓性の弾性アームの係合部と係合し、前記代１の押し込み停止位置から押圧が解放され前記弾性手段の付勢力によって移動する前記スイッチ体を前記押し込み位置で停止させるカム部と、
を具備する時計のスイッチ装置において、
前記カム部は、
前記解放位置および前記押し込み位置に移動した前記弾性アームを撓みのない状態にし、前記弾性アームの係合部が係合可能で、かつ前記カム部の略中央を通る線上に位置する解放位置用係止部および押し込み位置用係止部と、
前記カム部の略中央線近傍に位置し、前記第１及び第２の押し込み停止位置にある前記弾性アームの係合部に係合可能な第１および第２の押し込み停止位置用係止部と、
押圧力または前記弾性手段の付勢力によって移動する前記弾性アームの係合部を前記解放位置用係止部、第１の押し込み停止位置用係止部、押し込み位置用係止部および第２の押し込み停止位置用係止部の順に移動させる案内手段と、
前記各係止部に移動する前記弾性アームの係合部が摺動する摺動面と、を具備し、
前記各係止部のうち少なくとも前記第１の押し込み停止位置用係止部は、嵌合凸部を有し、
前記嵌合凸部は、前記カム部の略中央線上に位置し、前記弾性アームの係合部が当接し、当該係合部を前記押し込み位置に滑動させ、当該係合部を前記第２の押し込み停止位置用係止部へ滑動させる各側壁面を有し、
前記弾性アームの係合部は、前記嵌合凸部に嵌合する嵌合凹部および前記嵌合凸部を滑る傾斜面を有する
時計のスイッチ装置。
【発明の詳細な説明】
【０００１】
【発明の属する技術分野】
本発明は、たとえば、目覚し時計等の時計に具備された鳴り止めスイッチ等のスイッチの状態を操作する時計のスイッチ装置に関する。
【０００２】
【従来の技術】
従来の目覚時計の鳴り止めスイッチとして、たとえば、図１２に示すものが知られている。
図１２において、図示しない目覚し時計本体に内蔵された時計ムーブメントのケース１は、スイッチ体２が所定の方向に移動自在に保持されている。
すなわち、スイッチ体２は、スイッチ体２の４か所に形成された案内面部２４がケース１の４か所に突設された案内突起４の側部に形成された図示しない凹部に係合して矢印Ｂ１およびＢ２方向に移動自在に案内されている。
スイッチ体２には、矢印Ｂ１およびＢ２方向に延びるレバー腕部２６が設けられており、このレバー腕部２６がスイッチ体２の移動に応じて時計ムーブメント内に設けられた目覚し時計の状態を操作するための目安スイッチと係合して、当該スイッチの接続状態を操作する。
また、スイッチ体２の下端部にはばね受け部１７が設けられ、ケース１にはばね受け部１７に対向する位置に収納枠１１が設けられ、ばね受け部１７と収納枠１１との間に圧縮ばね７が設けられている。圧縮ばね７の基部８は、収納枠１１の側壁の中途部に形成された段壁部１３に係合しており、圧縮ばね７の先端部はスイッチ体２のばね受け部１７に係合しており、スイッチ体２は圧縮ばねによって矢印Ｂ１方向に付勢されている。
また、スイッチ体２には矢印Ｂ１およびＢ２方向に延びるストッパ片２１が形成され、ケース１にはストッパ用突部２０が形成されており、スイッチ体２の往復移動時に、ストッパ片２１の先端がストッパ用突部２０に当接し、スイッチ体２の移動を規制する。
【０００３】
ケース１の所定の位置には、ハート形カム３が形成されており、スイッチ体２には、ハート形カム３に係合して従動する係合部６ａが先端部に設けられた弾性アーム６が一体に設けられている。
このハート形カム３は、スイッチ体２がケース１に対して矢印Ｂ１、Ｂ２方向に移動した際に、弾性アーム６の係合部６ａと係合し、弾性アーム６を弾性変形させながら弾性アーム６の係合部６ａをスイッチ体２の操作状態に応じた位置に係止させる。
【０００４】
ここで、上記したハート形カム３の具体的構造を図１３に示す。
図１３に示すように、ハート形カム３は、周囲にハート形に形成された周壁部５に囲まれた領域には、案内凸部９が設けられており、案内凸部９と周壁部５との間には弾性アーム６の係合部６ａが摺動するカム面３ａ〜３ｈが形成されている。
図１４は上記のカム面３ａ〜３ｈの高低を示す図であり、図１４に示すように、カム面３ａは水平面であり、カム面３ｂはカム面３ａに連続する傾斜面であり、カム面３ｃはカム面３ｂの頂部に連続する水平面である。
カム面３ｄはカム面３ｃとの間に段差を有する水平面であり、カム面３ｅはカム面３ｄとの間に段差を有する水平面であり、カム面３ｆはカム面３ｅとの間に段差を有する水平面であり、カム面３ｇはカム面３ｆと連続する傾斜面であり、カム面３ｈはカム面３ｇの頂部と連続する水平面である。また、カム面３ａとカム面３ｆとは同じ高さの水平面である。
【０００５】
上記のように構成されるハート形カム３において、スイッチ体２の弾性アーム６の係合部６ａは、ハート形カム３の周壁部５の内周側面、案内凸部９の外周側面のいずれかに係合し、カム面３ａ〜３ｈを摺動しながらスイッチ体２の移動に応じてハート形カム３内を移動する。
たとえば、スイッチ体２がオン状態の位置、すなわち、スイッチ体２が目覚し時計本体から突出した状態では、弾性アーム６の係合部６ａは、ハート形カム３の周壁部５の内周側面の係止位置Ｋ１に位置しており、弾性アーム６は撓んだ状態にない。
【０００６】
この状態から、スイッチ体２を図１２の矢印Ａの方向に押圧してスイッチをオフ状態すると、係合部６ａは、案内凸部９の側面の案内面９ａに案内されながら傾斜面であるカム面３ｂを上り、カム面３ｃを通ってカム面３ｄに落ち、周壁部５の内周側面の係止位置Ｋ２に係止し、上記したレバー腕部２６がスイッチをオフする。
弾性アーム６の係合部６ａが係止位置Ｋ１からＫ２に移動すると、係合部６ａは図中右方向に位置し、また、カム面３ａとカム面３ｄの高さが異なるので、弾性アーム６は撓む。この撓みは、カム面３ａ〜３ｈに沿った方向と垂直な方向のいずれの方向にも発生する。
【０００７】
この状態から、スイッチ体２に作用する押圧力を除去すると、スイッチ体２は圧縮バネ７の付勢力によって図１２の矢印Ｂ１の向きに移動する。このとき、係合部６ａは、案内凸部９の側面の案内面９ｂに案内されながらカム面３ｄ上を摺動し、カム面３ｅ上に落ち、案内凸部９の側面の係止位置Ｋ３に係止する。
弾性アーム６の係合部６ａが係止位置Ｋ３に移動することにより、係合部６ａはハート形カム３の略中央に位置するので、撓んだ状態にあった弾性アーム６のカム面３ａ〜３ｈに沿った方向の撓みは略なくなるが、カム面３ａ〜３ｈに垂直な方向では、カム面３ｅと３ａとの高さが異なるので撓んだ状態にある。
【０００８】
再度、スイッチをオンするときには、スイッチ体２に再度押圧力を加える。スイッチ体２は、目覚し時計本体に対して押し込まれ、弾性アーム６の係合部６ａは、周壁部５の内周側面に案内されながら、カム面３ｆに落ち、周壁部５の内周側面の係止位置Ｋ４に係止する。
この状態では、弾性アーム６のカム面３ａ〜３ｈに沿った方向において係合部６ａは図中左側に位置し、上記とは逆の撓みが発生し、カム面３ａ〜３ｈに垂直な方向では、カム面３ｆと３ａとの高さが同じであるので撓んでいない。
スイッチ体２への押圧力を除去すると、スイッチ体２は圧縮バネ７の付勢力によって図１２の矢印Ｂ１の向きに移動し、弾性アーム６の係合部６ａは、カム面３ｆを摺動し、周壁部５の内周側面に案内されながらカム面３ｇを上り、カム面３ｈを通過して、再度カム面３ａに落ち、係止位置Ｋ１に再度復帰し、スイッチはオンする。
【０００９】
【発明が解決しようとする課題】
たとえば、上述した鳴り止めスイッチを備えた目覚し時計を出荷時に箱詰包装した状態では、スイッチ体２が目覚し時計本体に対して押し込まれた状態になる可能性がある。
スイッチ体２が目覚し時計本体に対して押し込まれた状態にあると、弾性アーム６の係合部６ａが、上記の係止位置Ｋ２、Ｋ３、Ｋ４のいずれかに位置することになり、弾性アーム６は、カム面３ａ〜３ｈに沿った方向あるいはカム面３ａ〜３ｈに垂直な方向に撓んだ状態となってしまう。
弾性アーム６が撓んだ状態が長時間保持されたり、高温状態で保存されたりすると、弾性アーム６が一体に形成されたスイッチ体２は、たとえば、合成樹脂材料で形成されているため、弾性アーム６が変形してしまう可能性があった。
たとえば、弾性アーム６が係止位置Ｋ２で変形すると、係合部６ａがカム面３ｄと３ｅとの間の段差で落ちにくくなったり、カム面３ｅと３ｆとの間の段差で落ちにくくなったりし、係合部６ａがカム面を逆行してスイッチ体２の操作が適切に行えなくなることがあった。
このため、従来においては、弾性アーム６が一体に形成されたスイッチ体２の形成材料に耐熱性が高い高価な材料を用いたり、弾性アーム６を別部材にしてばねを引っ張りばねにする等の対策を採っていたが、コストアップになり、自動組み立てが難しいという不利益が存在した。
【００１０】
本発明は、上述した問題に鑑みてなされたものであって、たとえば、目覚し時計に内蔵された鳴り止めスイッチ等の時計のスイッチ装置において、スイッチ装置のスイッチ体の具備する弾性アームの変形に起因するスイッチ操作の不具合を解消することができる時計のスイッチ装置を提供することを目的とする。
【００１１】
【問題を解決するための手段】
本発明は、時計の筐体内に所定の範囲で移動可能に案内され、所定の解放位置、第１の押し込み停止位置、押し込み位置および第２の押し込み停止位置の順で移動し、押圧操作に応じて前記時計の有するスイッチの操作状態を操作するスイッチ体と、前記押圧操作に抗する向きに前記スイッチ体を付勢する弾性手段と、前記スイッチ体の有する可撓性の弾性アームの係合部と係合し、前記代１の押し込み停止位置から押圧が解放され前記弾性手段の付勢力によって移動する前記スイッチ体を前記押し込み位置で停止させるカム部と、を具備する時計のスイッチ装置において、前記カム部は、前記解放位置および前記押し込み位置に移動した前記弾性アームを撓みのない状態にし、前記弾性アームの係合部が係合可能で、かつ前記カム部の略中央線上に位置する解放位置用係止部および押し込み位置用係止部と、前記カム部の略中央線近傍に位置し、前記第１及び第２の押し込み停止位置にある前記弾性アームの係合部に係合可能な第１および第２の押し込み停止位置用係止部と、押圧力または前記弾性手段の付勢力によって移動する前記弾性アームの係合部を前記解放位置用係止部、第１の押し込み停止位置用係止部、押し込み位置用係止部および第２の押し込み停止位置用係止部の順に移動させる案内手段と、前記各係止部に移動する前記弾性アームの係合部が摺動する摺動面と、を具備し、前記各係止部のうち少なくとも前記第１の押し込み停止位置用係止部は、嵌合凸部を有し、前記嵌合凸部は、前記カム部の略中央線上に位置し、前記弾性アームの係合部が当接し、当該係合部を前記押し込み位置に滑動させ、当該係合部を前記第２の押し込み停止位置用係止部へ滑動させる各側壁面を有し、前記弾性アームの係合部は、前記嵌合凸部に嵌合する嵌合凹部および前記嵌合凸部を滑らせる傾斜面を有する。
【００１３】
本発明では、解放位置にあるスイッチ体が押圧されると、弾性アームの係合部は、カム部において解放位置用係止部から案内されて第１の押し込み停止位置用係止部に停止する。このとき、弾性アームは、係合部の摺動面に沿った方向に撓んだ状態になるが、第１の押し込み停止位置用係止部にある摺動面は他の係止部に位置する摺動面と同一面上にあるため、摺動面に垂直な向きには撓みが発生しない。
同様に、スイッチ体への押圧を解放して弾性アームの係合部が押し込み位置用係合部に係止した状態および再度スイッチ体への押圧によって弾性アームの係合部が第２の押し込み停止位置用係止部に係止した状態でも係合部の摺動面に垂直な向きには撓みが発生しない。
【００１４】
また、本発明では、弾性アームの係合部は、カム部において解放位置用係止部から案内されて第１の押し込み停止位置用係止部に停止する。このとき、弾性アームの係合部の嵌合凸部は、嵌合凹部に嵌合し、第１の押し込み停止位置用係止部に停止した状態の弾性アームの撓み量は減少する。
【００１５】
【発明の実施の形態】
以下、本発明の実施の形態について図面を参照して説明する。
図１は、本発明が適用される時計のスイッチ装置としての目覚まし時計の鳴り止めスイッチ装置の一例を示す図であって、ケースからスイッチ体を取り外した状態を示す平面図である。図２は、図１のスイッチ体をケースに装着した状態を示す図である。図３は、図２のケースに形成されたカム部およびスイッチ体の弾性アームの近傍の側面図である。
なお、図１〜図３に示す各構成要素のうち、図１２において説明した鳴り止めスイッチ装置と同一の構成要素については同一の符号で示している。
【００１６】
図１において、たとえば、目覚し時計本体に内蔵される時計ムーブメントのケース１は、ハート形カム部３０と、４か所に設けられ、スイッチ体２を上下方向に移動自在に案内保持する案内突起４と、ストッパ用突起２０と、圧縮ばね７を挿入保持する収納枠１１とを具備している。
【００１７】
スイッチ体２は、上記の各案内突起４に係合する案内面部２４と、ストッパ用突起２０に係合するストッパ突片２１と、スイッチ体２に一体に形成され先端に係合部５２を備える弾性アーム５１と、レバー腕部２６と、下端部に設けられたばね受け部１７とを有する。
【００１８】
図２に示すように、スイッチ体２はケース１に対して矢印Ａの向きから装着され、各案内面部２４が対応する案内突起４に係合し案内保持される。
レバー腕部２６は、スイッチ体２を矢印Ｂ１の向きに押圧操作することにより、スイッチ体２が移動して時計ムーブメント内に設けられた目覚し時計の目覚まし音の出力状態をオン・オフ操作するための目安スイッチと係合して、当該目安スイッチを操作する。
ばね受け部１７は、上記の圧縮ばね７の先端部を保持する挿入穴を有しており、圧縮バネ７が挿入され、圧縮バネ７からの付勢力を受ける。
ストッパ突片２１は、スイッチ体２がケース１に対して先端がストッパ用突部２０に当接し、スイッチ体２の矢印Ｂ１方向への移動を規制する。
【００１９】
また、弾性アーム５１は、先端に設けられた係合部５２がハート形カム部３０と係合し、スイッチ体２の矢印Ｂ１およびＢ２方向への移動に応じて、図２に示す矢印Ｆ１およびＦ２の向きに撓む。
図３は、図２のケース１に形成されたカム部３０およびスイッチ体２の弾性アーム５１の近傍の側面図である。
図３に示すように、弾性アーム５１は、スイッチ体２の矢印Ｂ１およびＢ２方向への移動に応じて、矢印Ｅ１およびＥ２の向きにも撓む。
【００２０】
図４は、上記のカム部３０の構成の一例を示す平面図である。
図４に示すように、カム部３０は、周囲にハート形に形成された周壁部３２を具備し、周壁部３２に囲まれた領域内には、案内凸部３１が設けられている。また、周壁部３２の内周側には周壁部３２に隣接してカム用凸部３３が設けられている。
案内凸部３１と周壁部３２およびカム用突部３３との間には弾性アーム５１の係合部５２が摺動するカム面３０ａ〜３０ｋが形成されている。
【００２１】
図５は、上記のカム面３０ａ〜３０ｋおよびカム用凸部３３の上面３３ａおよび３３ｆの高低関係を示す図である。
図５に示すように、カム面３０ａは水平面であり、カム面３０ｂはカム面３０ａに底部が連続する傾斜面であり、カム面３０ｃはカム面３０ｂの頂部に連続する水平面である。
カム面３０ｄはカム面３０ｃとの間に段差を有する水平面である。
カム用凸部３３の上面３３ａは、カム面３０ｄとの間に段差を有する水平面であり、カム用凸部３３の上面３３ｆは、上面３３ａよりも高い位置にある水平面である。
カム面３０ｇは、カム面３０ｄと底部が連続する傾斜面であり、カム面３０ｈはカム面３０ｇの頂部と連続する水平面であり、カム面３０ｉはカム面３０ｈとの間に段差を有する水平面である。
カム面３０ｊは、底部がカム面３０ｉと連続する傾斜面であり、カム面３０ｋはカム面３０ｊの頂部と連続し、かつ、カム面３０ａとの間に段差を有する水平面である。
また、カム面３０ａ、３０ｄ、３０ｉは同一面上に位置している。
【００２２】
また、図４に示すように、周壁部３２の内壁面３２ｂは、弾性アーム５１の係合部５２の係止部Ｐ１を形成している。係止部Ｐ１は、弾性アーム５１の係合部５２を係止させることにより、スイッチ体２を目覚まし時計本体に対して解放位置に位置させる。
カム用凸部３３は、側面に側壁面３３ｂ、３３ｃ、３３ｄ、３３ｅ、３３ｇ、３３ｈを有しており、このうち、側壁面３３ｂ、３３ｄおよび３３ｅは、弾性アーム５１の係合部に嵌合する嵌合凸部を形成している。この嵌合凸部は、カム部３０の略中央位置に設けられている。
また、カム用凸部３３は、側壁面３３ｃおよび周壁部３２の内壁面３２ｂによって、弾性アーム５１の係合部５２の係止部Ｐ２を形成している。係止部Ｐ２は、弾性アーム５１の係合部５２を係止させることにより、スイッチ体２を押圧した際にスイッチ体２の押し込みを停止させ、スイッチ体２を第１の押し込み停止位置に位置させる。
案内凸部３１の側壁面３１ｂは、弾性アーム５１の係合部５２の係止部Ｐ３を形成している。係止部Ｐ３は、弾性アーム５１の係合部５２を係止させることにより、スイッチ体２を目覚まし時計本体に対して押し込んだ状態の押し込み位置に位置させる。
カム用凸部３３の側壁面３３ｇおよび３３ｈは、弾性アーム５１の係合部５２の係止部Ｐ４を形成している。係止部Ｐ４は、弾性アーム５１の係合部５２を係止させることにより、スイッチ体２を押圧した際にスイッチ体２の押し込みを停止させ、スイッチ体２を第２の押し込み停止位置に位置させる。
なお、第１および第２の押し込み停止位置は、押し込み位置よりさらにスイッチ体２が押し込まれた位置にあり、また、第１および第２の押し込み停止位置は異なる位置であっても、同一の位置であっても良いが、通常は同一の位置である。
【００２３】
図６は弾性アーム５１の係合部５２の形状の一例を示す平面図であり、図７は図６に示す弾性アームの係合部を矢印Ｄの方向から見た側面図であり、図８は図６に示す弾性アームの係合部を矢印Ｇの方向から見た側面図である。
図６〜図８に示すように、弾性アーム５１の係合部５２は、弾性アーム５１の長手方向に沿った平行面５２ａ、５２ｂと、平行面５２ｂに対して傾斜した傾斜面５２ｇと、平行面５２ａ、５２ｂに平行でカム用凸部３３の側壁面３３ｄに当接する当接面５２ｃと、当接面５２ｃに隣接し当接面５２ｃに対して傾斜した傾斜面５２ｄと、傾斜面５２ｄに隣接し平行面５２ａに平行な面５２ｅと、傾斜面５２ｄと面５２ｅとに隣接した傾斜面５２ｈとを有している。
当接面５２ｃと傾斜面５２ｄは、上記したカム用凸部３３の側壁面３３ｂ、３３ｄおよび３３ｅによって構成される嵌合凸部に嵌合する嵌合凹部を構成している。
【００２４】
次に、鳴り止めスイッチ装置の動作の一例を図９〜図１１を参照して説明する。
たとえば、スイッチの操作状態がオン状態、すなわち、スイッチ体２が解放位置に位置する状態では、弾性アーム５１の係合部５２は、図９に示すように、カム部３０の周壁部３２の内周側面３２ｂの係止部Ｐ１に係止しており、弾性アーム５１は撓んだ状態にない。
【００２５】
この状態から、スイッチ体２を押圧してスイッチをオフ状態にしようとすると、弾性アーム５１の係合部５２は、カム部３０の案内凸部３１の側面の案内面３１ｃに案内されながら傾斜面であるカム面３０ｂを上り、カム面３０ｃを通ってカム面３０ｄに落ちる。
弾性アーム５１には、係合部５２がカム面３０ｃを通過するまではカム面が形成された面に沿った方向の撓みおよびこれに垂直な方向の撓みの両方が生じるが、係合部５２がカム面３０ｄに落ちるとカム面が形成された面に垂直な方向の撓みはなくなる。
【００２６】
さらに、カム面３０ｄに移動した弾性アーム５１の係合部５２は、弾性アーム５１の復元力によってカム用突部３３に向かって移動し、係合部５２の当接面５２ｃがカム用突部３３の側壁面３３ｄに当接するまで移動し、係合部５２の当接面５２ｃと傾斜面５２ｄによって構成される嵌合凹部がカム用凸部３３の側壁面３３ｂ、３３ｄおよび３３ｅによって構成される嵌合凸部に嵌合した状態となり、弾性アーム５１の係合部５２は係止位置Ｐ２に停止する。これによって、スイッチがオフ状態となる。
このとき、弾性アーム５１の係合部５２の嵌合凹部がカム用凸部３３の嵌合凸部に嵌合しており、弾性アーム５１の係合部５２はカム部３０の略中央に位置するので、嵌合凹部と嵌合凸部とが存在しない場合と比べると、弾性アーム５１のカム面の形成面に沿った方向の撓み量は小さくなっている。
【００２７】
この状態からスイッチ体２の押圧をやめると、図１０に示すように、スイッチ体２は圧縮ばね７の付勢力によって、押し上げられ、弾性アーム５１の係合部５２の傾斜面５２ｄはカム用突部３３の側壁面３３ｂを滑りながら移動し、さらに、案内突部の側壁面３１ｂを滑りながら、係止位置Ｐ３に移動する。
弾性アーム５１の係合部５２が係止位置Ｐ３に位置した状態では、係合部５２がカム部３０の略中央に位置し、かつ、カム面３０ｄはカム面３０ａと同一の高さにあるので弾性アーム５１には撓みが発生していない。
【００２８】
上記の状態から、再度スイッチをオンする場合には、再度スイッチ体２を押圧する。
スイッチ体２を押圧すると、図１１に示すように、弾性アーム５１の係合部５２は、カム用凸部３３の側壁面３３ｅに向かって移動し、係合部５２の傾斜面５２ｇが側壁面３３ｅに当接して滑るとともに、カム面３０ｇ、３０ｈを摺動してカム面３０ｉに落ち、係合部５２の傾斜面５２ｇと平行面５２ｂがカム用凸部３３の側壁面３３ｇと３３ｈに当接した状態で停止し、係合部５２は係止位置Ｐ４に位置する。
この状態では、弾性アーム５１には、カム面の形成面に沿った方向の撓みが生じているが、カム面３０ｉとカム面３０ａが同一の高さにあるので、カム面が形成された面に垂直な方向の撓みはなくなる。
スイッチ体２への押圧力を除去すると、スイッチ体２は圧縮バネ７の付勢力によってカム面３０ｉ、３０ｊ、３０ｋを摺動し移動し、再び係止部Ｐ１に復帰し、スイッチはオン状態となる。
【００２９】
本実施形態によれば、各係止部Ｐ１〜Ｐ４に面するカム面３０ａ、３０ｄ、３０ｉは同一面上に位置するため、弾性アーム５１の係合部５２が各係止部Ｐ１〜Ｐ４に係止した状態では弾性アーム５１にカム面に垂直な方向の撓みが発生しない。このため、弾性アーム５１の係合部５２が、たとえば、係止部Ｐ２やＰ４に位置した状態で長時間保持されたり、高温下に置かれても、弾性アーム５１の変形を防止できる。
また、弾性アーム５１の係合部５２に嵌合凹部を形成し、カム用凸部３３に嵌合突部を形成することにより、弾性アーム５１の係合部５２が係止部Ｐ２に位置する状態での弾性アーム５１の撓み量を減少させることができ、弾性アーム５１の変形を最小限に抑えることができる。
また、本実施形態では、カム用凸部３３の側壁面３３ｃおよび３３ｂで構成される凹部と、弾性アーム５１の係合部５２の面５２ｄ、５２ｅおよび５２ｇで構成される凸部とを形成しなくても動作上問題ないが、これらの凹部と凸部とを設けることで両者の接触が多くなり、係合部５２の動作を安定化することができる。
【００３０】
なお、上述した実施形態では、カム部３０の係止部Ｐ１、係止部Ｐ２およびＰ４は、弾性アーム５１の係合部５２を係止させてスイッチ体２を解放位置、第１および第２の押し込み停止位置に位置させる構成としたが、本発明はこれに限定されない。たとえば、図２に示したケース１のストッパ用突部２０とスイッチ体２のストッパ片２１とを当接させることによって、スイッチ体２を解放位置に停止させ、案内突起４とスイッチ体２の当接面部２５とを当接させることによって、スイッチ体２を同じ位置である第１および第２の押し込み停止位置に停止させる構成としてもよい。この場合には、係止部Ｐ１、係止部Ｐ２およびＰ４において、弾性アーム５１の係合部５２と周壁部３２の内壁面３２ｂとの間に多少のクリアランスを持たせる。
また、上述した実施形態では、本発明のスイッチ装置を鳴り止めスイッチ装置に適用した場合について説明したが、本発明はこれに限定されるわけではなく、たとえば、スイッチ体２の押圧操作によって目覚まし音の種類を順次変更するスイッチ等に適用することも可能である。
【００３１】
【発明の効果】
本発明によれば、弾性アームの係合部が各係止部に位置した状態での弾性アームの摺動面に垂直な方向の撓み量をなくし、かつ弾性アームの係合部が第１の押し込み停止用係止部に位置する際の弾性アームの摺動面に沿った方向の撓み量を減少させることができる。この結果、弾性アームの変形を極力抑制することができ、スイッチ操作の不具合を解消することができる。
【図面の簡単な説明】
【図１】本発明が適用される鳴り止めスイッチ装置の一例を示す図であって、ケースからスイッチ体を取り外した状態を示す平面図である。
【図２】図１のスイッチ体をケースに装着した状態を示す図である。
【図３】図２のケースに形成されたカム部およびスイッチ体の弾性アームの近傍の側面図である。
【図４】本発明に係るカム部の構成の一例を示す平面図である。
【図５】図４に示すカム部の各面の高さ関係を示す図である。
【図６】本発明に係る弾性アームの係合部の形状の一例を示す平面図である。
【図７】図６に示す弾性アームの係合部を矢印Ｄの方向から見た側面図である。
【図８】図６に示す弾性アームの係合部を矢印Ｇの方向から見た側面図である。
【図９】本発明に係る鳴り止めスイッチ装置の動作状態の一例を示す平面図である。
【図１０】本発明に係る鳴り止めスイッチ装置の図９に続く動作状態を示す平面図である。
【図１１】本発明に係る鳴り止めスイッチ装置の図１０に続く動作状態を示す平面図である。
【図１２】従来の鳴り止めスイッチ装置の構造を示す平面図である。
【図１３】図１２に示す鳴り止めスイッチ装置のカム部の構成の一例を示す平面図である。
【図１４】図１３に示すカム部のカム面の高さ関係を示す図である。
【符号の説明】
１…ケース
２…スイッチ体
３０…カム部
５１…弾性アーム
５２…係合部
３０ａ〜３０ｋ…カム面（摺動面）
３１…案内突部（案内手段）
３２…周壁部
３２ｂ…内壁面（案内手段）
３３…カム用凸部
Ｐ１〜Ｐ４…係止部
【図１】
0003645742.tif 000002
【図２】
0003645742.tif 000003
【図３】
0003645742.tif 000004
【図４】
0003645742.tif 000005
【図５】
0003645742.tif 000006
【図６】
0003645742.tif 000007
【図７】
0003645742.tif 000008
【図８】
0003645742.tif 000009
【図９】
0003645742.tif 000010
【図１０】
0003645742.tif 000011
【図１１】
0003645742.tif 000012
【図１２】
0003645742.tif 000013
【図１３】
0003645742.tif 000014
【図１４】
0003645742.tif 000015